(57)【要約】【課題】アンテナ支持柱に対して任意の方向にアンテナを取付けることが出来るとともに、既設のアンテナの電波照射角に干渉せずに新規なアンテナを取り付けることが出来る。【解決手段】アンテナ支持柱に取付ける棒状のアンテナのアンテナ取付腕出し金具であって、支持柱取付金具１、アーム取付金具２、アーム材３及び水平角度調整金具４とから構成され、前記支持柱取付金具１はアンテナ支持柱Ｃの外周に複数個接続して固定自在とし、前記アーム取付金具２の一端を前記支持柱取付金具１に固定し、当該アーム取付金具２の他端に前記アーム材３の一端を水平方向に一定角度回転、固定自在に取り付け、当該アーム材３の他端に、断面Ｌ字型の前記水平角度調整金具４を取り付け、水平角度調整金具４に前記棒状のアンテナＢのアンテナ側取付金具Ｂ１を取り付ける構成とし、水平角度調整金具４は前記アーム材３に対する水平角度を調整可能にした。【選択図】      図１
2019080224.tif 000002
【特許請求の範囲】
【請求項１】
円柱状のアンテナ支持柱に取付ける棒状のアンテナのアンテナ取付腕出し金具であって、
支持柱取付金具、アーム取付金具、アーム材及び水平角度調整金具とから構成され、
前記支持柱取付金具は断面コ字型を成し、アンテナ支持柱の外周に複数個接続して固定自在とし、
前記アーム取付金具の一端を前記支持柱取付金具にボルトで固定し、当該アーム取付金具の、支持柱取付金具から突出する他端に角パイプ状の前記アーム材の一端を水平方向に一定角度回転、固定自在に取り付け、
当該アーム材の他端に、断面Ｌ字型の前記水平角度調整金具を取り付け、当該水平角度調整金具に前記棒状のアンテナのアンテナ側取付金具を取り付ける構成とし、
当該水平角度調整金具は前記アーム材に対する水平角度を調整可能にしたことを特徴とする、アンテナ取付腕出し金具。
【請求項２】
前記支持柱取付金具は略断面コ字型形状を有し、前記アンテナ支持柱の外周に当接させて２個以上の支持柱取付金具相互をボルトにより接合させ、各ボルトを締め付けて前記支持柱取付金具を当該アンテナ支持柱に固定し、
前記アーム取付金具は、２枚の平板の一端を夫々前記支持柱取付金具の上下面に固定し、他端を外方に突出させ、各アーム取付金具の略中央部には相応する位置にボルト穴を夫々設け、当該ボルト穴の外方に、前記ボルト穴を中心とした円弧状穴を夫々穿ち、
前記アーム材の一端及び他端に上下を貫通するボルト穴を軸方向に２個夫々並べて設け、当該アーム材の一端を前記２つのアーム取付金具の間に通して、前記アーム取付金具のボルト穴及び円弧状穴とアーム材の一端の２個のボルト穴にボルトを夫々通して、各ボルト端部にナットを螺着して固定し、
前記水平角度調整金具は水平片と垂直片とから成る断面Ｌ字型の金具で、水平片の略中央部にボルト穴を、また垂直片と反対側の水平片端部には、前記ボルト穴を中心とした円弧上に多数のボルト穴を夫々有し、前記水平角度調整金具の水平片を前記アーム材の他端上面又は下面に当接し、前記水平角度調整金具の前記略中央部のボルト穴及び円弧上の多数のボルト穴の一つとアーム材の他端の２個のボルト穴に夫々ボルトを通して各ボルト端部にナットを螺着して固定したことを特徴とする、請求項１に記載のアンテナ取付腕出し金具。  
【請求項３】
前記水平角度調整金具と棒状のアンテナに設けられたアンテナ側取付金具とを接続するためのアタッチメントを、前記水平角度調整金具の垂直片に固定したことを特徴とする、請求項１又は２に記載のアンテナ取付腕出し金具。  
【請求項４】
前記水平角度調整金具の水平片を前記アーム材の他端上面に当接し、前記水平角度調整金具の垂直片を前記アーム材の上方に突出させる構成、
前記水平角度調整金具の水平片を前記アーム材の他端上面に当接し、前記垂直片を前記アーム材の前端面前方に垂下させる構成、
前記水平角度調整金具の水平片を前記アーム材の他端下面に当接し、前記水平角度調整金具の垂直片を前記アーム材の下方に垂下させる構成のいずれかを選択可能としたことを特徴とする、請求項１又は２に記載のアンテナ取付腕出し金具。
【請求項５】
アンテナが既に取り付け済みのアンテナ支持柱において、前記アーム材の長さを選択し、前記アーム取付金具に対するアーム材の角度を調整し、かつ前記水平角度調整金具のアーム材に対する水平角度を調整することにより、
前記取付け済みのアンテナの指向性を阻害しない位置、又は、前記取付け済みのアンテナの指向と同じ指向となる位置に新設のアンテナを取付けることが可能な構成であることを特徴とする、請求項１〜４のいずれかに記載のアンテナ取付腕出し金具。
【請求項６】
前記支持柱取付金具が平面視略Ω状のバンドと当該バンドの凹部に嵌めて固定した断面コ字型の当て座とから成り、
前記当て座はコ字型の開口部をアンテナ支持柱の外周面に当てるように内側に向かせ、かつ、当該当て座の前記開口部は段付き凹部を形成し、
前記バンドの両端には外側への折返し片を有し、当該折返し片の一部内側に当接する張り出し部を前記当て座の両側に設けた構成とし、
複数の当該支持柱取付金具を前記アンテナ支持柱の外周に間隔を空けて当接し、各支持柱取付金具の折返し片に設けたボルト穴にボルトを通して当該ボルトにより各支持柱取付金具相互を接続する構成であることを特徴とする、請求項１〜５のいずれかに記載のアンテナ取付金具。
【発明の詳細な説明】
【技術分野】
【０００１】
この発明は、通信用アンテナ等を柱状の支持物に設置するアンテナ取付け腕出し金具に関するもので、さらに詳しく述べると、一端を支持物の上下に夫々固定し、当該支持物の上下の外周から各他端を突出させて、その各他端で棒状のアンテナの上下を支えるアンテナ取付腕出し金具に関するものである。
【背景技術】
【０００２】
従来、通信用アンテナは、柱状の支持物に設置された取付金具を用いて設置する構造となっており、アンテナは電波の指向性を考慮し、所定の方向に向けて設置される。例えば、１２０度の指向性（電波照射角度）を有するアンテナの場合、支持物を中心に１２０度の角度で３つのアンテナを設置することで全方向を網羅することになる。
【０００３】
この様に、支持物にアンテナを取り付ける場合、所定の方向に向けてアンテナを取り付けるため、上記支持物に対してアンテナの取り付け位置や向きを選択できるように取付金具が構成されている。
【０００４】
特許文献１のアンテナ取付け金具は、支柱の一側に設けた支柱側取付け金具に対して、アンテナに取付けたアンテナ取付け金具の水平方向の向きを変えられるようになっており、かつ、上記支柱側取付け金具とアンテナ取付け金具の間に中間金具を介在させ、当該中間金具の先端を上向き又は下向きに傾斜させて固定することにより、アンテナの仰角も調整できる構成となっている。
【０００５】
また、特許文献２のものは、支柱の一側に取付けられたアンテナ取付用支柱側金具に対して、アンテナに取付けたアンテナ側取付金具の水平方向の向きを変えられるようになっている。また、支柱を中心に水平方向に３個のアンテナを取付けられる構成となっている。
【先行技術文献】
【特許文献】
【０００６】
【特許文献１】特許第５３９３６１１号公報
【特許文献２】特許第６０５１１４７号公報
【発明の開示】
【発明が解決しようとする課題】
【０００７】
通信技術は日々進歩しており、新たな通信技術によるサービスが提供されるが、この場合、既存のアンテナとは異なるアンテナを必要とする場合がある。
【０００８】
しかし、既存のアンテナによる通信サービスの利用中において新規のアンテナを設置しようとすると、同一の支持物に設置することが出来ない場合が多い。
この様な場合には新たな支持物が必要となるが、経済的負担が大きい。
【０００９】
既存のアンテナが設置された支持物に対して、新たなアンテナを設置できるようにすることが経済的にも望ましいが、その場合、以下の様な課題があった。
【００１０】
（１）既存のアンテナと同じ向きに設置できない。
アンテナの電波照射方向には指向性があり、アンテナ側の取付金具の位置が特定されていることから、既存のアンテナの電波照射方向と同一の方向に新規アンテナの電波照射方向を向けると、既存のアンテナの取付方向と物理的に同じ位置に取付けることになるため、新規アンテナを設置することが出来ない。
【００１１】
（２）申請した高さに設置できない。
アンテナを設置する場合、事前に監督官庁への申請が必要であり、申請には取付け高さ位置が記載されている。従って、申請通りの取付け高さ位置に設置しなければならない。新たなアンテナを設置する場合に、既設のアンテナ金具や足場ボルト等の既設物が新たなアンテナの取付金具と干渉する場合があり、この様な場合、申請した高さとは異なる位置にしか設置できない。この場合、再申請しなければならない。
【００１２】
（３）新規及び既存アンテナによる照射電波の遮蔽
新規アンテナの電波照射角の範囲に既存アンテナ及び取付金具がある場合、既存アンテナ及び取付金具により新規アンテナの電波が遮蔽される場合がある。また、逆に、既存アンテナの電波照射角の範囲に新規アンテナ及び取付金具がある場合、新規アンテナ及び取付金具により既存アンテナの電波が遮蔽される場合がある。新規アンテナ及び取付金具を相互に干渉しない位置に設置することが求められる。
【００１３】
（４）新規アンテナと既存アンテナの離隔の確保が必要
既存アンテナの横に新規アンテナを設置する場合、既設のアンテナから照射される電波との干渉を避けるため、一定の離隔が必要である。しかしながら上記特許文献１及び２を含む従来の取付構造では、離隔の確保ができない。
このように、上記（１）〜（４）の課題があるが、上記特許文献１及び２を含む従来の取付構造では、解決されていない。
【００１４】
そこでこの発明は、上記の問題点に鑑みて発明されたもので、アンテナ支持柱に対して任意の方向にアンテナを取付けることが出来るとともに、既設のアンテナの電波照射角に干渉せずに新規なアンテナを取り付けることが出来るアンテナ取付腕出し金具を提供する。
【課題を解決するための手段】
【００１５】
請求項１の発明は、円柱状のアンテナ支持柱に取付ける棒状のアンテナのアンテナ取付腕出し金具であって、支持柱取付金具、アーム取付金具、アーム材及び水平角度調整金具とから構成され、前記支持柱取付金具は断面コ字型を成し、アンテナ支持柱の外周に複数個接続して固定自在とし、前記アーム取付金具の一端を前記支持柱取付金具にボルトで固定し、当該アーム取付金具の、支持柱取付金具から突出する他端に角パイプ状の前記アーム材の一端を水平方向に一定角度回転、固定自在に取り付け、当該アーム材の他端に、断面Ｌ字型の前記水平角度調整金具を取り付け、当該水平角度調整金具に前記棒状のアンテナのアンテナ側取付金具を取り付ける構成とし、当該水平角度調整金具は前記アーム材に対する水平角度を調整可能にした、アンテナ取付腕出し金具とした。
【００１６】
請求項２の発明は、前記支持柱取付金具は略断面コ字型形状を有し、前記アンテナ支持柱の外周に当接させて２個以上の支持柱取付金具相互をボルトにより接合させ、各ボルトを締め付けて前記支持柱取付金具を当該アンテナ支持柱に固定し、前記アーム取付金具は、２枚の平板の一端を夫々前記支持柱取付金具の上下面に固定し、他端を外方に突出させ、各アーム取付金具の略中央部には相応する位置にボルト穴を夫々設け、当該ボルト穴の外方に、前記ボルト穴を中心とした円弧状穴を夫々穿ち、前記アーム材の一端及び他端に上下を貫通するボルト穴を軸方向に２個夫々並べて設け、当該アーム材の一端を前記２つのアーム取付金具の間に通して、前記アーム取付金具のボルト穴及び円弧状穴とアーム材の一端の２個のボルト穴にボルトを夫々通して、各ボルト端部にナットを螺着して固定し、前記水平角度調整金具は水平片と垂直片とから成る断面Ｌ字型の金具で、水平片の略中央部にボルト穴を、また垂直片と反対側の水平片端部には、前記ボルト穴を中心とした円弧上に多数のボルト穴を夫々有し、前記水平角度調整金具の水平片を前記アーム材の他端上面又は下面に当接し、前記水平角度調整金具の前記略中央部のボルト穴及び円弧上の多数のボルト穴の一つとアーム材の他端の２個のボルト穴に夫々ボルトを通して各ボルト端部にナットを螺着して固定した、請求項１に記載のアンテナ取付腕出し金具とした。
【００１７】
また、請求項３の発明は、前記水平角度調整金具と棒状のアンテナに設けられたアンテナ側取付金具とを接続するためのアタッチメントを、前記水平角度調整金具の垂直片に固定した、請求項１又は２に記載のアンテナ取付腕出し金具とした。
【００１８】
また、請求項４の発明は、前記水平角度調整金具の水平片を前記アーム材の他端上面に当接し、前記水平角度調整金具の垂直片を前記アーム材の上方に突出させる構成、前記水平角度調整金具の水平片を前記アーム材の他端上面に当接し、前記垂直片を前記アーム材の前端面前方に垂下させる構成、前記水平角度調整金具の水平片を前記アーム材の他端下面に当接し、前記水平角度調整金具の垂直片を前記アーム材の下方に垂下させる構成のいずれかを選択可能とした、請求項１又は２に記載のアンテナ取付腕出し金具とした。
【００１９】
請求項５の発明は、アンテナが既に取り付け済みのアンテナ支持柱において、前記アーム材の長さを選択し、前記アーム取付金具に対するアーム材の角度を調整し、かつ前記水平角度調整金具のアーム材に対する水平角度を調整することにより、前記取付け済みのアンテナの指向性を阻害しない位置、又は、前記取付け済みのアンテナの指向と同じ指向となる位置に新設のアンテナを取付けることが可能な構成である、請求項１〜４のいずれかに記載のアンテナ取付腕出し金具とした。
【００２０】
請求項６の発明は、前記支持柱取付金具が平面視略Ω状のバンドと当該バンドの凹部に嵌めて固定した断面コ字型の当て座とから成り、前記当て座はコ字型の開口部をアンテナ支持柱の外周面に当てるように内側に向かせ、かつ、当該当て座の前記開口部縁は段付き凹部を形成し、前記バンドの両端には外側への折返し片を有し、当該折返し片の一部内側に当接する張り出し部を前記当て座の両側に設けた構成とし、複数の当該支持柱取付金具を前記アンテナ支持柱の外周に間隔を空けて当接し、各支持柱取付金具の折返し片に設けたボルト穴にボルトを通して当該ボルトにより各支持柱取付金具相互を接続する構成である、請求項１〜５のいずれかに記載のアンテナ取付金具とした。
【発明の効果】
【００２１】
請求項１又は２の各発明によれば、前記支持柱取付金具は断面コ字型を成しているため、金具剛性を確保し、複数の支持柱取付金具をボルトでアンテナ支持柱の外周に巻き回すことが出来るため、大きな把持力を得ることが出来る。また、アンテナ支持柱の占有幅（アンテナ支持柱の外周面への接触面積）を抑えることが出来る。また、支持柱取付金具の上下を貫通するボルトにより前記アーム取付金具との組み立てを可能とし、組み立て作業の効率化を図ることができる。
【００２２】
また、上述の様に、複数の支持柱取付金具をボルトで接続してアンテナ支持柱の外周に巻き回すことが出来るため、当該アンテナ取付腕出し金具を同一箇所に複数取り付けることが出来る。その際、棒状のアンテナを複数取り付ける場合もアンテナ支持柱への占有幅を増加させることはない。また、複数のアンテナを取り付ける場合も同一の取付け高さとすることが出来る。
【００２３】
また、前記アーム取付金具はアーム材の一端を中心軸となるボルトで軸支し、円弧状穴に通したボルト端のナットを緩めることにより、前記中心軸となるボルトを中心に水平方向に一定幅回転、固定自在となっており、かつ、前記水平角度調整金具をアーム材に対して、水平方向に向きを調整でき、さらに長さの異なるアーム材を複数種用意しておけば、既存のアンテナが同一のアンテナ支持柱に取付けられている場合であっても、新規のアンテナを既存のアンテナの電波照射角に対して干渉しないように取り付けることが出来る。
【００２４】
請求項３の発明によれば、前記水平角度調整金具と棒状のアンテナに設けられたアンテナ側取付金具とを接続するためのアタッチメントを設けたため、棒状のアンテナに設けられたアンテナ側取付金具がどのようなものであっても、容易にアンテナを取り付けることが出来る。
【００２５】
請求項４の発明によれば、前記水平角度調整金具をアーム材に対して３つの方法で固定できるため、アンテナ部分の高さを段階的に調整可能とし、アンテナ支持柱側の既存の設備を避けつつ、新規のアンテナを所定の高さ位置に取付けることができる。また、１つのアンテナ支持柱に複数の支持柱取付金具を取り付ける場合、各支持柱取付金具のアンテナ支持柱への取付け位置をずらしてもアンテナ取付け高さ位置を同一にすることが出来る。
【００２６】
請求項５の発明によれば、アンテナが既に取り付け済みのアンテナ支持柱において、前記取付け済みのアンテナの指向性を阻害しない位置、又は、前記取付け済みのアンテナの指向と同じ指向となる位置に新設のアンテナを取付けることが可能である。
【００２７】
請求項６の発明によれば、支持柱取付金具の当て座の、アンテナ支持柱に当接する箇所を段付き凹部とし、前記アンテナ支持柱の外径の相違によって異なる段部にアンテナ支持柱の外周が当たるように構成されているため、支持柱取付金具のアンテナ支持柱に対する出幅をほぼ揃えることが出来る。その結果、アンテナ支持柱の外径にかかわらず、アーム取付腕出し金具を同一形状とすることが出来る。また、支持柱取付金具は、アンテナ支持柱の外径の相違に対しては、バンドの折返し片の長さを大小の２種類用意することで、適応可能である。その際、バンドの折返し片に接触する当て座の両端部に張り出し部を設けたため、バンド締付け時のバンドの曲げ変形を抑止できる。
【図面の簡単な説明】
【００２８】
【図１】この発明の実施の形態例１のアンテナ取付腕出し金具の使用状態を示す平面図である。
【図２】この発明の実施の形態例１のアンテナ取付腕出し金具の使用状態を示す正面図である。
【図３】この発明の実施の形態例１のアンテナ取付腕出し金具の平面図である。
【図４】この発明の実施の形態例１のアンテナ取付腕出し金具の正面図である。
【図５】この発明の実施の形態例１のアンテナ取付腕出し金具の縦断面図である。
【図６】この発明の実施の形態例１のアンテナ取付腕出し金具のアーム取付金具の平面図である。
【図７】この発明の実施の形態例１のアンテナ取付腕出し金具のアーム取付金具の縦断面図である。
【図８】この発明の実施の形態例１のアンテナ取付腕出し金具のアーム材の縦断面図である。
【図９】この発明の実施の形態例１のアンテナ取付腕出し金具の水平角度調整金具の平面図である。
【図１０】この発明の実施の形態例１のアンテナ取付腕出し金具の水平角度調整金具の右側面図である。
【図１１】この発明の実施の形態例１のアンテナ取付腕出し金具の水平角度調整金具の縦断面図である。
【図１２】この発明の実施の形態例１のアンテナ取付腕出し金具の水平角度調整金具のアーム材への他の取付け状態を示す正面図である。
【図１３】この発明の実施の形態例１のアンテナ取付腕出し金具の水平角度調整金具のアーム材へのさらに他の取付け状態を示す正面図である。
【図１４】この発明の実施の形態例１のアンテナ取付腕出し金具の第１アタッチメントの斜視図である。
【図１５】この発明の実施の形態例１のアンテナ取付腕出し金具の第２アタッチメントの斜視図である。
【図１６】この発明の実施の形態例１のアンテナ取付腕出し金具を既設のアンテナと指向を合わせて取り付けた状態の平面図である。
【図１７】この発明の実施の形態例１のアンテナ取付腕出し金具に第２アタッチメントを介してアンテナを取り付けた状態の図で、(ａ)図は平面図、（ｂ）図は正面図である。
【図１８】この発明の実施の形態例１のアンテナ取付腕出し金具に直接アンテナを取り付けた状態の図で、(ａ)図は平面図、（ｂ）図は正面図である。
【図１９】この発明の実施の形態例２のアンテナ取付腕出し金具の使用状態を示す平面図である。
【図２０】この発明の実施の形態例２のアンテナ取付腕出し金具の使用状態を示す正面図である。
【図２１】この発明の実施の形態例２のアンテナ取付腕出し金具の複数の支持柱取付金具をアンテナ支持柱に取付けた平面図である。
【図２２】この発明の実施の形態例２のアンテナ取付腕出し金具の支持柱取付金具の縦断面図である。
【図２３】この発明の実施の形態例２のアンテナ取付腕出し金具の支持柱取付金具の、図２２と直角方向の縦断面図である。
【発明を実施するための形態】
【００２９】
（実施の形態例１）
以下、この発明の実施の形態例１のアンテナ取付腕出し金具Ａを図に基づいて説明する。
【００３０】
このアンテナ取付腕出し金具Ａは、図１及び図２に示す様に、支持柱取付金具１、アーム取付金具２、アーム材３、水平角度調整金具４及び、必要に応じてアンテナＢに設けられたアンテナ側取付金具と前記水平角度調整金具４との間に介在させる第１アタッチメント５とから構成される。
【００３１】
そして、前記支持柱取付金具１は、図１及び図２に示す様に、アンテナ支持柱Ｃに取付けられる。この支持柱取付金具１はコ字型断面を有するもので、この支持柱取付金具１を２個用意し、当該コ字型の開口端部を前記アンテナ支持柱Ｃの外周に当接させて２個の支持柱取付金具１をアンテナ支持柱Ｃを介して相対向させ、これらの２個の支持柱取付金具１の両端にボルト６を渡して、各ボルト６の端部に螺着したナット７を締め付けることによりアンテナ支持柱Ｃに取付けられる。
【００３２】
そして、前記各支持柱取付金具１の上下面に、略台形状の平板から成るアーム取付金具２の一端を当接させ、当該アーム取付金具２の一端に設けたボルト穴８及び支持柱取付金具１の上下面を貫通したボルト穴（図示省略）にボルト９を通して、ナット１０により締付け固定されている。これにより各支持柱取付金具１の上下面から２枚のアーム取付金具２の他端が外方に突出している。
【００３３】
また、前記アーム取付金具２の略中央部には、図６及び図７に示す様にボルト穴１１が設けられ、また、他端部には前記ボルト穴１１を中心にした円弧状穴１２が設けられている。
【００３４】
前記アーム材３は、図８に示す様に、その両端に、当該アーム材３の軸方向に沿って２つのボルト穴１３が夫々並べ設けられ、これらのボルト穴１３は当該アーム材３の上下面を貫通している。また、このアーム材３は、構成は同じで、長さの異なるアーム材３を数種類用意しておく。
【００３５】
このアーム材３の一端を前記上下２枚のアーム取付金具２の他端の間に挿入し、前記アーム取付金具２のボルト穴１１とアーム材３の一端の一方のボルト穴１３を合わせてこれらの穴に下からボルト１４を通し、上面のボルト穴１１から突出したボルト１４端にナット１５を螺着して締め付ける。また、アーム取付金具２の円弧状穴１２とアーム材３の一端の他方のボルト穴１３に下からボルト１６を通して上面の円弧状穴１２から突出したボルト１６端にナット１７を螺着する。
【００３６】
上記ナット１７を緩めると、アーム材３はアーム取付金具２のボルト１４（ボルト穴１１）を中心に円弧状穴１２の一端から他端までの範囲で回転自在となる。そして、当該アーム取付金具２に対してアーム材３を任意の角度に回転させた後、前記ナット１７を締め付けて、アーム材３をアーム取付金具２に固定する。
【００３７】
前記水平角度調整金具４は、図９〜図１１に示す様に、水平片４ａと垂直片４ｂとから成る断面Ｌ字型の金具であり、水平片４ａの略中央にボルト穴１８を、また垂直片４ｂと反対側の水平片４ａの端部には、前記ボルト穴１８を中心とした円弧上に多数のボルト穴１９を夫々穿っている。また、垂直片４ｂの両端にボルト穴２０及び中央寄りに２つの楕円形ボルト穴２１を夫々有している。  
【００３８】
当該水平角度調整金具４の水平片４ａを前記アーム材３の他端部（先端部）の上面に載せ、垂直片４ｂをアーム材３の前端面前方に垂らした状態にし、水平角度調整金具４のボルト穴１８とアーム材３の他端の２つ並んだボルト穴１３の外側のボルト穴１３とを合わせ、下からボルト２２を通して、水平角度調整金具４の水平片４ａ上に突出したボルト２２端にナット２３を螺着する。これにより水平角度調整金具４は、アーム材３に支持されて前記ボルト２２を中心に水平回転自在となる。
【００３９】
そして、水平角度調整金具４をアーム材３に対して水平方向で任意の角度に回して、水平片４ａの円弧上に位置する多数のボルト穴１９の内、前記アーム材３の他のボルト穴１３の上に位置する前記ボルト穴１９を合わせて、これらの穴の下からボルト２４を通して水平片４ａ上に突出したボルト２４端にナット２５を螺着する。これにより前記水平角度調整金具４は垂直片４ｂをアーム材３の前端面前方に垂らした状態で固定される。
【００４０】
また、前記水平角度調整金具４のアーム材３への取付けは、上記に代えて、図１２に示す様に、その垂直片４ｂを水平片４ａから上に向けて取り付けてもよい。
【００４１】
さらに、図１３に示す様に、水平角度調整金具４の水平片４ａを、アーム材３の他端部（先端部）の下面に当て、垂直片４ｂを当該水平片４ａの端部から下へ垂らした状態でアーム材３に固定することもできる。これらにより、棒状のアンテナＢの取付け高さを変えることが出来る。
【００４２】
前記第１アタッチメント５は、図１４に示す様に、断面Ｌ型の金物で、水平片５ａと垂直片５ｂとから成り、水平片５ａ、垂直片５ｂの夫々に２個のボルト穴２６、２７を有している。そして、この第１アタッチメント５の垂直片５ｂを、前記水平角度調整金具４の垂直片４ｂに当接させて、楕円形ボルト孔２１とボルト穴２７にボルト２８を通し、ナット２９を螺着して第１アタッチメント５を水平角度調整金具４に固定する。
【００４３】
そして、図１及び２に示す様に、新設のアンテナＢに設けられた水平なアンテナ側取付金具Ｂ１を前記第１アタッチメント５の水平片５ａに載せて、ボルト、ナット３０で固定する。
【００４４】
これにより、図１及び図２に示す様に、アンテナ支持柱Ｃにアンテナ取付腕出し金具Ａを介してアンテナＢが支持される。その際、当該アンテナ支持柱Ｃに既設のアンテナＤが存在する場合、図１６に示す様に、当該アンテナ取付腕出し金具Ａのアーム取付金具２に対するアーム材３の角度及びアーム材３に対する水平角度調整金具４の角度を調整して、既設のアンテナＤの電波照射角度を干渉しない位置や既設のアンテナＤと同じ向きに新設のアンテナＢを取付けることが出来る。
【００４５】
また、前記第１アタッチメント５とは異なる形状のアタッチメントもある。例えば、図１５に示す様に、第２アタッチメント３１は前記水平角度調整金具４の垂直片４ｂに当接する横長の垂直板３１ａの両端から水平直角方向に折れ曲がった折曲片３１ｂを有するものである。そして、前記垂直板３１ａと折曲板３１ｂには夫々ボルト穴３２が穿ってある。この第２アタッチメント３１は、図１７に示す様に、アンテナＢのアンテナ側取付金具Ｂ２が垂直に突出している場合に用いる。
【００４６】
この場合は、前記水平角度調整金具４の垂直片４ｂに第２アタッチメント３１の垂直板３１ａを当てて、これらをボルト、ナット３３で固定し、当該第２アタッチメント３１の折曲片３１ｂにアンテナＢのアンテナ側取付金具Ｂ２を重ね、ボルト、ナット３４で固定する。
【００４７】
また、図１８は、前記第１アタッチメント５又は第２アタッチメント３１が不要の場合である。この場合は、アンテナＢのアンテナ側取付金具Ｂ３がアンテナＢから鉤型に突出しており、当該アンテナ側取付金具Ｂ３の垂直片を前記水平角度調整金具４の垂直片４ｂに当接してボルト、ナット３５で固定することが出来る。
【００４８】
次にこの発明の実施の形態例２のアンテナ取付腕出し金具Ｅを図１９〜図２３に基づいて説明する。
【００４９】
このアンテナ取付腕出し金具Ｅは前記アンテナ取付腕出し金具Ａと支持柱取付金具１のみが相違し、他の構成は同じである。従って、支持柱取付金具３６を説明し、他の構成は説明を省略する。
【００５０】
支持柱取付金具３６は、図２１〜図２３に示す様に、平面視略Ω状のバンド３６ａと当該バンド３６ａの凹部に嵌った断面コ字型の当て座３６ｂとから成り、前記当て座３６ｂはコ字型の開口部をアンテナ支持柱Ｃに当てるように内側に向き、前記バンド３６ａの両端には外側への折返し片３６ｃを有した構成で、前記バンド３６ａと当て座３６ｂとはボルト３６ｄとナット３６ｅとで接続されている。
【００５１】
また、前記バンド３６ａの両端の折返し片３６ｃの内側に前記当て座３６ｂの張り出し部３６ｆが当接しており、折返し片３６ｃに係る圧力を前記張り出し部３６ｆで受ける構成となっている。また、前記当て座３６ｂのアンテナ支持柱Ｃの外周に当接する開口部は、段付き凹部３６ｇを形成し、アンテナ支持柱Ｃの外径が小径の場合は段付き凹部３６ｇの奥部にアンテナ支柱Ｃの外周が入り込み、大径の場合は段付き凹部３６ｇの両側端でアンテナ支持柱Ｃの外周が当接するようになっている。
【００５２】
以上の構成の支持柱取付金具３６を３個用意し、図１９及び図２０に示す様に、当該支持柱取付金具３６の各折返し片３６ｃのボルト穴３６ｈにボルト３７を入れて、当該支持柱取付金具３６の間に３個のボルト３７を渡してアンテナ支持柱Ｃの外周に巻き付け、各ボルト３７の端部に螺着したナット３８を締め付けることにより、前記３個の支持柱取付金具３６はアンテナ支持柱Ｃに固定される。
【００５３】
そして、これらの支持柱取付金具３６の一つ乃至は三つに、前記実施の形態例１と同じアーム取付金具２、アーム材３、水平角度調整金具４及び第１アタッチメント５を取付け、アンテナＢを取付けるものである。
【００５４】
この実施の形態例２の支持柱取付金具３６はアンテナ支持柱Ｃに当接する箇所を段付き凹部３６ｇとし、前記アンテナ支持柱の外径の相違によって異なる段部にアンテナ支持柱の外周が当たるように構成されているため、前記アンテナ支持柱Ｃの外径の相違があっても支持柱取付金具３６のアンテナ支持柱Ｃに対する出幅をほぼ揃えることが出来る。その結果、アンテナ支持柱Ｃの外径にかかわらず、アーム取付腕出し金具Ａを同一形状とすることが出来る。
【００５５】
また、支持柱取付金具３６は、アンテナ支持柱Ｃの外径の相違に対しては、バンド３６ａの折返し片３６ｃの長さを大小の２種類用意することで、適応可能である。その際、バンド３６ａの折返し片３６ｃに接触する当て座３６ｂの端部に張り出し部３６ｆを設けたため、バンド締付け時のバンド３６ａの曲げ変形を抑止できる。
【符号の説明】
【００５６】
Ａ      アンテナ取付腕出し金具
Ｂ      新規アンテナ
Ｂ１，Ｂ２、Ｂ３    アンテナ側取付金具
Ｃ      アンテナ支持柱
Ｄ      既存アンテナ
１      支持柱取付金具              ２      アーム取付金具    
３      アーム材柱                  ４      水平角度調整金具
４ａ    水平片                      ４ｂ    垂直片
５      第１アタッチメント          ５ａ    水平片
５ｂ    垂直片                      ６      ボルト  
７      ナット                      ８      ボルト穴    
９      ボルト                      １０    ナット
１１    ボルト穴                    １２    円弧状穴
１３    ボルト穴                    １４    ボルト
１５    ナット                      １６    ボルト
１７    ナット                      １８    ボルト穴
１９    ボルト穴                    ２０    ボルト穴
２１    楕円形ボルト穴              ２２    ボルト
２３    ナット                      ２４    ボルト
２５    ナット                      ２６    ボルト穴
２７    ボルト穴                    ２８    ボルト
２９    ナット                      ３０    ボルト、ナット
３１    第２アタッチメント          ３１ａ  垂直片
３１ｂ  折曲片                      ３２    ボルト穴
３３    ボルト、ナット              ３４    ボルト、ナット
３５    ボルト、ナット              ３６    支持柱取付金具
３６ａ  バンド                      ３６ｂ  当て座
３６ｃ  折返し片                    ３６ｄ  ボルト
３６ｅ  ナット                      ３６ｆ  張り出し部
３６ｇ  段付き凹部                  ３６ｈ  ボルト穴              
３７    ボルト                      ３８    ナット
【図１】
2019080224.tif 000003
【図２】
2019080224.tif 000004
【図３】
2019080224.tif 000005
【図４】
2019080224.tif 000006
【図５】
2019080224.tif 000007
【図６】
2019080224.tif 000008
【図７】
2019080224.tif 000009
【図８】
2019080224.tif 000010
【図９】
2019080224.tif 000011
【図１０】
2019080224.tif 000012
【図１１】
2019080224.tif 000013
【図１２】
2019080224.tif 000014
【図１３】
2019080224.tif 000015
【図１４】
2019080224.tif 000016
【図１５】
2019080224.tif 000017
【図１６】
2019080224.tif 000018
【図１７】
2019080224.tif 000019
【図１８】
2019080224.tif 000020
【図１９】
2019080224.tif 000021
【図２０】
2019080224.tif 000022
【図２１】
2019080224.tif 000023
【図２２】
2019080224.tif 000024
【図２３】
2019080224.tif 000025